(57)【要約】      （修正有）【課題】カーテン用シートの微少なサイズ調整を可能としつつ、調整後のシートのほつれを抑制する。【解決手段】カーテン用シートであって、ビニールシート部１１０と、テント生地部１２０とを備える。ビニールシート部１１０は、略矩形状であり、ビニールにより形成されている。テント生地部１２０は、略矩形状であり、テント生地により形成されている。また、テント生地部１２０は、ビニールシート部１１０のうちの第１の辺（下辺）側の縁部１１６に結合されている。【選択図】図２
0003217950.tif 000002
【実用新案登録請求の範囲】
【請求項１】
カーテン用シートであって、
略矩形状であり、ビニールにより形成されているビニールシート部と、
略矩形状であり、テント生地により形成されているテント生地部であって、前記ビニールシート部のうちの第１の辺側の縁部に結合されているテント生地部と、
を備える、
カーテン用シート。
【請求項２】
請求項１に記載のカーテン用シートであって、
前記ビニールシート部のうち、前記第１の辺とは反対側の第２の辺側に複数のハトメが形成されており、
前記ビニールシート部のうち、前記第１の辺と前記第２の辺との間に位置する一対の第３の辺の少なくとも一方に、他のカーテン用シートと連結可能な連結部が設けられている、
カーテン用シート。
【考案の詳細な説明】
【技術分野】
【０００１】
本明細書に開示される技術は、カーテン用シートに関する。
【背景技術】
【０００２】
ビニールカーテンは、例えば、建物（工場など）の内外の仕切りや建物内の間仕切りのために用いられる。ビニールカーテンが設置されることにより、例えば、建物内の作業環境や衛生管理が改善される。ここで、ビニールカーテンで仕切るべきスペース（横幅、床から天井までの高さなど）は、建物によって様々であるため、ビニールカーテンに要求されるサイズも様々である。そこで、従来、複数のビニールシートを連結することにより、多様なサイズのビニールカーテンを準備することが可能な技術が知られている（例えば特許文献１）。
【先行技術文献】
【特許文献】
【０００３】
【特許文献１】特開平７−１５８２８８号公報
【考案の概要】
【考案が解決しようとする課題】
【０００４】
しかし、上述の従来の技術では、予め定められた定形サイズの複数のビニールシートを連結する構成である。このため、例えば、ビニールカーテンが設置される場所に応じた適切なサイズのビニールカーテンを準備することができないことがあり、改良の余地があった。
【０００５】
本明細書では、上述した課題を解決することが可能な技術を開示する。
【課題を解決するための手段】
【０００６】
本明細書に開示される技術は、以下の形態として実現することが可能である。
【０００７】
（１）本明細書に開示されるカーテン用シートは、カーテン用シートであって、略矩形状であり、ビニールにより形成されているビニールシート部と、略矩形状であり、テント生地により形成されているテント生地部であって、前記ビニールシート部のうちの第１の辺側の縁部に結合されているテント生地部と、を備える。
【０００８】
本カーテン用シートでは、ビニールシート部の第１の辺側の縁部にテント生地部が結合されている。このため、本カーテン用シートのうち、テント生地部を切断することにより、カーテン用シートの長さを調整することができる。しかも、テント生地部は、ビニールシート部に比べて、切断した際にほつれにくいテント生地により形成されている。したがって、本カーテン用シートによれば、従来の技術に比べて、カーテン用シートの微少なサイズ調整を可能としつつ、調整後のシートのほつれを抑制することができる。
【０００９】
（２）上記カーテン用シートにおいて、前記ビニールシート部のうち、前記第１の辺とは反対側の第２の辺側に複数のハトメが形成されており、前記ビニールシート部のうち、前記第１の辺と前記第２の辺との間に位置する一対の第３の辺の少なくとも一方に、他のカーテン用シートと連結可能な連結部が設けられている構成であってもよい。
【００１０】
本カーテン用シートによれば、ハトメによりカーテンレールに引っ掛けることが可能であり、また、複数のカーテン用シートを、連結部を介して連結することにより、カーテン用シートの横方向のサイズ調整を行うことができる。
【００１１】
本明細書によって開示される技術は、種々の形態で実現することが可能であり、例えば、カーテン用シートやビニールカーテン、それらの製造方法等の形態で実現することが可能である。
【図面の簡単な説明】
【００１２】
【図１】実施形態における仕切具１０の外観構成を概略的に示す正面図である。
【図２】ビニールカーテン１００の外観構成を概略的に示す正面図である。
【図３】ビニールカーテン１００の切断前後の状態を示す説明図である。
【図４】複数枚のビニールカーテン１００ａが連結された状態を示す説明図である。
【考案を実施するための形態】
【００１３】
Ａ．実施形態：
Ａ−１．仕切具１０の構成：
図１は、本実施形態における仕切具１０の外観構成を概略的に示す正面図である。図１には、方向を特定するための互いに直交するＸＹＺ軸が示されている。本明細書では、便宜的に、Ｚ軸正方向を上方向といい、Ｚ軸負方向を下方向といい、Ｘ軸正方向を右方向といい、Ｘ軸負方向を左方向といい、Ｙ軸正方向（紙面後ろ方向）を後ろ方向といい、Ｙ軸負方向（紙面手前方向）を前方向というものとするが、仕切具１０は実際にはそのような向きとは異なる向きで設置されてもよい。なお、図２以降についても同様である。
【００１４】
仕切具１０は、建物（工場など）の内外の仕切りや建物内の間仕切りのために設置されるものである。仕切具１０の設置により、例えば、建物内の作業環境や衛生管理が改善される。
【００１５】
図１に示すように、仕切具１０は、ビニールカーテン１００と、レール２００と、を備える。
【００１６】
レール２００は、レール本体２１０と、複数のランナー２２０と、を含む。レール本体２１０は、左右方向（Ｘ軸方向）に延びているレール体である。レール本体２１０は、例えば建物内の天井や梁等に固定されている。なお、レール本体２１０の上下方向（Ｚ軸方向）視での形状は、直線状に延びている形状であってもよいし、曲線状に延びている形状であってもよい。複数のランナー２２０は、レール本体２１０の下面側に配置され、かつ、レール本体２１０に沿って移動可能に設けられている。各ランナー２２０には、シート３００を吊り下げるためのフックが設けられている。
【００１７】
Ａ−２．ビニールカーテン１００の構成：
図２は、ビニールカーテン１００の外観構成を概略的に示す正面図である。図１および図２に示すように、ビニールカーテン１００は、全体として矩形状のシートであり、ビニールシート部１１０と、テント生地部１２０と、を備える。
【００１８】
ビニールシート部１１０は、例えば矩形状のビニール製のシートである。ビニールシート部１１０における、上辺側の縁部１１１と両側辺側の縁部１１２とには、それぞれ、全長にわたって折り返し加工が施されている。ビニールシート部１１０における上辺側の縁部１１１には、複数のハトメ１１４（貫通孔）が左右方向（Ｘ軸方向）に等間隔で並ぶように形成されている。複数のハトメ１１４は、それぞれ、レール本体２１０に移動可能に設けられた複数のランナー２２０のフックに引っ掛けられている。これにより、ビニールカーテン１００は、レール２００に吊り下げられつつ、左右方向に移動可能になっている。ビニールシート部１１０における側辺側の縁部１１２には、他のビニールカーテン１００（後述の図４参照）と連結するための複数のマジックテープ１３０（登録商標）が設けられている。具体的には、例えば、右辺側の縁部１１２の背面に、鉤状のフックが表面に形成されたフック部１３２と、パイル状のループが形成されたループ部１３４との一方が貼り付けられており、左辺側の縁部１１２の前面に、フック部１３２とループ部１３４との他方が貼り付けられている。なお、マジックテープ１３０は、テント生地部１２０には形成されていないことが好ましい。後述するように、テント生地部１２０は、ビニールカーテン１００の上下方向の長さ調整の際、切断されるからである。
【００１９】
テント生地部１２０は、例えば矩形状のテント生地により形成されたシートである。テント生地は、例えば、織地、布地、樹脂繊維の織物（例えばポリエステルやアクリル原着の糸等の化学繊維を用いて製織編した生地）である。要するに、テント生地部１２０は、後述するように、ビニールシート部１１０に比べて、切断した際にほつれにくい生地で形成されたシートである。テント生地部１２０の左右方向（Ｘ軸方向）の幅（Ｌｘ）は、ビニールシート部１１０の左右方向の幅と略同一である。テント生地部１２０の上下方向（Ｚ軸方向）の長さ（Ｌｚ２）は、ビニールシート部１１０の上下方向の長さ（Ｌｚ１）より短い。テント生地部１２０の上下方向の長さ（Ｌｚ２）は、ビニールシート部１１０の上下方向の長さ（Ｌｚ１）の５０％以下の長さであることが好ましく、ビニールシート部１１０の上下方向の長さ（Ｌｚ１）の３０％以下の長さであることがより好ましく、さらに、ビニールシート部１１０の上下方向の長さ（Ｌｚ１）の２０％以下の長さであることがより好ましい。また、テント生地部１２０の上下方向の長さ（Ｌｚ２）は、ビニールシート部１１０の上下方向の長さ（Ｌｚ１）の１０％以上の長さであることが好ましい。テント生地部１２０の上端部は、ビニールシート部１１０の下辺側の縁部１１６に結合されている。具体的には、ビニールシート部１１０とテント生地部１２０とは、例えば熱溶着により結合されている。
【００２０】
ビニールカーテン１００の各部の寸法例は、次の通りである。以下の（ａ）から（ｃ）の３つの長さのいずれの組み合わせでもよい。
（ａ）ビニールカーテン１００（ビニールシート部１１０、テント生地部１２０）の左右方向（Ｘ軸方向）の幅（Ｌｘ）：９５０ｍｍ、１９５０ｍｍ、３９５０ｍｍ
（ｂ）ビニールシート部１１０の上下方向の長さ（Ｌｚ１）：１７００ｍｍ、２５００ｍｍ
（ｃ）テント生地部１２０の上下方向（Ｚ軸方向）の長さ（Ｌｚ２）：４００ｍｍ
【００２１】
なお、ビニールカーテン１００は、実用新案登録請求の範囲におけるカーテン用シートに相当する。マジックテープ１３０（登録商標）は、実用新案登録請求の範囲における連結部に相当する。ビニールシート部１１０の下辺側の縁部１１６は、実用新案登録請求の範囲における第１の辺側の縁部に相当し、ビニールシート部１１０における上辺側の縁部１１１は、実用新案登録請求の範囲における第２の辺側の縁部に相当し、ビニールシート部１１０における両側辺側の縁部１１２は、実用新案登録請求の範囲における第３の辺側の縁部に相当する。
【００２２】
Ａ−３．本実施形態の効果：
以上説明したように、本実施形態に係るビニールカーテン１００では、ビニールシート部１１０の下辺側の縁部１１６にテント生地部１２０が結合されている。このため、ビニールカーテン１００のうち、テント生地部１２０を切断することにより、ビニールカーテン１００の上下方向（Ｚ軸方向）の長さを調整することができる。しかも、テント生地部１２０は、ビニールシート部１１０に比べて、切断した際にほつれにくいテント生地により形成されている。したがって、本実施形態によれば、従来の技術に比べて、ビニールカーテン１００の上下方向の微少なサイズ調整を可能としつつ、調整後のシートのほつれを抑制することができる。
【００２３】
また、本実施形態によれば、ハトメ１１４によりレール２００に引っ掛けることが可能であり、また、複数のビニールカーテン１００を、マジックテープ１３０を介して連結することにより、カーテン用シート（ビニールカーテン１００）の左右方向（Ｘ軸方向）のサイズ調整を行うことができる。以下、これらの効果について、具体的に説明する。
【００２４】
図１には、仕切具１０が第１の部屋Ｆ１に配置された例が示されている。第１の部屋Ｆ１の床の左右方向（Ｘ軸方向）の幅はＤであり、天井から床までの上下方向（Ｚ軸方向）の長さはＨである。切断前の１枚のビニールカーテン１００の左右方向の幅（Ｌｘ）は、第１の部屋Ｆ１の幅（Ｄ）に略一致しており、切断前の１枚のビニールカーテン１００の上下方向の長さ（Ｌｚ）は、第１の部屋Ｆ１の上下方向の長さ（Ｈ）に略一致する。このため、図１に示すように、切断前の１枚のビニールカーテン１００をそのままレール２００に吊り下げることにより、第１の部屋Ｆ１を前後の２つの空間に仕切ることができる。
【００２５】
図３は、ビニールカーテン１００の切断前後の状態を示す説明図であり、図４は、複数枚のビニールカーテン１００ａが連結された状態を示す説明図である。図４には、仕切具１０ａが第２の部屋Ｆ２に配置された例が示されている。第２の部屋Ｆ２の床の左右方向（Ｘ軸方向）の幅は、Ｄａであり、この幅（Ｄａ）は、第１の部屋Ｆ１の左右方向の幅（Ｄ）の略２倍である。第２の部屋Ｆ２の床の上下方向（Ｚ軸方向）の長さは、Ｈａであり、この長さ（Ｈａ）は、第１の部屋Ｆ１の上下方向の長さ（Ｈ）より短い。このような第２の部屋Ｆ２に、切断前の１枚のビニールカーテン１００をそのまま配置しようとすると、１枚のビニールカーテン１００の左右方向の幅（Ｌｘ）は、第２の部屋Ｆ２の床の左右方向の幅（Ｄａ）より短いため、第２の部屋Ｆ２を仕切ることができない。また、ビニールカーテン１００の上下方向（Ｚ軸方向）の長さ（Ｌｚ）は、第２の部屋Ｆ２の上下方向の長さ（Ｈａ）より長いため、ビニールカーテン１００の下端部が第２の部屋Ｆ２の床に接触する面積が多くなり、その結果、ビニールカーテン１００を左右方向に円滑に移動させることができなくなる。
【００２６】
そこで、図３に示すように、ビニールカーテン１００のテント生地部１２０を切断する。具体的には、テント生地部１２０を、ビニールシート部１１０とテント生地部１２０とが並ぶ上下方向（Ｚ軸方向）に略垂直な仮想直線Ｍに沿って切断する。これにより、切断後のテント生地部１２０ａの上下方向の長さは、Ｌｚ２ａ（＜Ｌｚ２）となり、ビニールカーテン１００ａの上下方向の長さは、Ｌｚａ（＜Ｌｚ）になり、第２の部屋Ｆ２の上下方向の長さ（Ｈａ）に略一致する。また、切断後のビニールカーテン１００ａを２枚、左右方向に連結する。これにより、図４に示すように、２枚の切断後のビニールカーテン１００ａによって、第２の部屋Ｆ２を前後の２つの空間に仕切ることができる。また、各ビニールカーテン１００ａを、左右方向に円滑に移動させることができる。
【００２７】
Ｂ．変形例：
本明細書で開示される技術は上記記述及び図面によって説明した実施形態に限定されるものではなく、例えば次のような種々の態様も含まれる。
【００２８】
上記実施形態における仕切具１０の構成は、あくまで一例であり、種々変形可能である。例えば、上記実施形態では、ビニールカーテン１００は、テント生地部１２０が、ビニールシート部１１０の下辺側の縁部１１６に接合された構成であったが、例えば、テント生地部１２０が、ビニールシート部１１０の上辺側の縁部１１１や、一対の側辺側の縁部１１２の少なくともいずれか１つに接合されている構成であってもよい。また、ビニールカーテン１００は、マジックテープ１３０（連結部）が、ビニールシート部１１０の上辺側の縁部１１１に形成され、上下方向において他のカーテン用シートに連結可能な構成であってもよい。
【００２９】
上記実施形態において、ビニールカーテン１００は、一対の側辺側の縁部１１２の一方だけに連結部を備える構成でもよい。また、ビニールカーテン１００は、縁部１１２およびマジックテープ１３０の少なくとも一方を備えない構成であってもよい。
【００３０】
上記実施形態では、連結部として、マジックテープ１３０を例示したが、これに限らず、連結可能な構成を有していればよく、例えばファスナーやボタンなどでもよい。
【００３１】
上記実施形態の仕切具１０における各部材を形成する材料は、あくまで例示であり、各部材が他の材料により形成されてもよい。例えば、ビニールシート部１１０およびテント生地部１２０の色は、透明でもよいし、半透明でもよいし、不透明（例えば白色）でもよい。
【符号の説明】
【００３２】
１０，１０ａ：仕切具  １００，１００ａ：ビニールカーテン  １１０：ビニールシート部  １１１，１１２，１１６：縁部  １１４：ハトメ  １２０，１２０ａ：テント生地部  １３０：マジックテープ  １３２：フック部  １３４：ループ部  ２００：レール  ２１０：レール本体  ２２０：ランナー  ３００：シート  Ｆ１：第１の部屋  Ｆ２：第２の部屋  Ｍ：仮想直線
【図１】
0003217950.tif 000003
【図２】
0003217950.tif 000004
【図３】
0003217950.tif 000005
【図４】
0003217950.tif 000006